(57)【要約】【課題】  スライスされた食パンを異なる所定枚数ずつ円滑に包装できる構成としたスライス食パンの袋詰め包装方法と袋詰め包装装置を提供する。【解決手段】  このスライス食パンの袋詰め包装装置は、互いに対面したスライス面を鉛直又は水平にして食パンを複数枚ずつ供給するスライス食パン供給装置１、そのスライス食パン供給装置１の先端部に配置されスライス食パン供給装置１によって搬送されて来る複数枚のスライス食パンが挿入される大きさの開口に変えて包装袋Ｅを開口させる袋拡開口装置３０、スライス食パン供給装置１によって搬送されて来るスライス食パンＥを袋拡開口装置３０によって拡開口された袋Ｅ内に挿入させる挿入装置２０、及び挿入装置２０によって複数枚のスライス食パンが内部に挿入された袋Ｅは開口を閉じられる袋閉じ装置へ搬出コンベア７０によって送られる。【選択図】      図１
2006062698.tif 000002
【特許請求の範囲】
【請求項１】
互いに対面したスライス面を鉛直又は水平方向にしてスライス食パンを複数枚ずつ供給する供給工程と、前記供給工程によって供給される複数枚のスライス食パンを受け入れる大きさの開口に変えて包装用袋を開口させる袋拡開口工程と、前記供給工程によって供給されて来た複数枚のスライス食パンを前記袋拡開口工程で開口された袋内に挿入させる食パン挿入工程と、前記食パン挿入工程で食パンが挿入された袋の開口を閉じる袋閉じ装置に送り出す工程よりなることを特徴とするスライス食パンの袋詰め包装方法。
【請求項２】
互いに対面したスライス面を鉛直又は水平にして食パンを複数枚ずつ供給するスライス食パン供給装置、同スライス食パン供給装置の先端部に配置され同スライス食パン供給装置によって搬送されて来る複数枚のスライス食パンが挿入されるように包装袋の開口の大きさを変えて開口させる袋拡開口装置、前記スライス食パン供給装置によって搬送されて来るスライス食パンを前記袋拡開口装置によって拡開口された袋内に挿入させる挿入装置、及び前記挿入装置によって複数枚のスライス食パンが内部に挿入された袋の開口を閉じる袋閉じ装置に送る搬出装置を有することを特徴とするスライス食パンの袋詰め包装装置。
【請求項３】
前記袋拡開口装置は、包装袋の縦方向及び横方向の一方又は両方の拡開口大きさを変更可能に構成されていることを特徴とする請求項２に記載のスライス食パンの袋詰め包装装置。
【請求項４】
前記袋拡開口装置は、スライス面を鉛直方向にした１斤のスライス食パンと、スライス面を水平方向にした半斤のスライス食パンとを挿入する大きさに前記包装袋の拡開口大きさを変更可能に構成されていることを特徴とする請求項２又は３に記載のスライス食パンの袋詰め包装装置。
【発明の詳細な説明】
【技術分野】
【０００１】
本発明は、スライスされた食パンを異なる所定枚数ずつ袋詰め包装することができるスライス食パンの袋詰め包装方法及びそのための装置に関する。
【背景技術】
【０００２】
食パンは所定厚さにスライスしたものを１斤、半斤、１／４斤などの所定量ずつ包装して販売することが多い。１斤の食パンのように枚数が多く一度に消費できないと考えられる量の食パンの包装は、開口部をテープ、クリップ、捩じりワイヤなどで閉じた袋詰めの状態にして、１度に消費できずに残ったスライス食パンはその袋に入れたまま開口部を再びテープ、クリップ、捩じりワイヤなどで閉じて保存できるようにして販売することが行われている。
【０００３】
一方、半斤以下のスライス食パンは、一度に消費される量であるとの前提で３方シールなどによって四方を閉じた状態に包装して販売され、その包装を一度開封すると再び開口を閉じて保存できるような包装は殆ど行われていない。
その理由としては、半斤以下のスライス食パンのように枚数が少ないスライス食パンはスライス面を鉛直にして立てた場合、枚数が少ないだけに自立できない状態となるため、１斤のスライス食パンと同様の袋詰め包装装置によって自動で包装することが難しいという事情もあった。
【０００４】
しかしながら、最近は個食化の傾向が一層進んで、半斤のスライス食パンでも１度に消費されず、１部を消費した後、再び包装を閉じて保存することが望まれる状況になっている。
従って、半斤以下のスライス食パンの包装も、１斤のスライス食パンの場合と同様、消費のため包装を開封した後、残ったスライス食パンを保存するための再度の包装が可能な袋詰め方式の包装とすることが望まれて来ており、同じ袋による包装装置によって、袋詰め包装するスライス食パンの量を１斤、半斤、１／４斤ずつなどに切り替え、少ない枚数ずつでも円滑に自動で袋詰め包装できるようにすることが望まれる。
【０００５】
この場合、枚数の異なるスライス食パンの袋による包装が同じ包装装置によって容易にでき、更には、枚数が異なるスライス食パンを何れの枚数でも円滑に包装することができるようにしたスライス食パンの包装方法、及びそのようなスライス食パンの包装を可能とした構造簡単なスライス食パンの包装装置の提供が望まれる状況になって来ている。
【発明の開示】
【発明が解決しようとする課題】
【０００６】
本発明は、従来のスライス食パンの包装方法及び包装装置が前記した問題点を有していた点に鑑み、異なる所定枚数ずつのスライス食パンを同じ包装装置で円滑に安定して袋詰め包装することを可能とするスライス食パンの袋詰め包装方法、及びそのようなスライス食パンの袋詰め包装方法を実施することが可能で、構造が簡単なスライス食パンの袋詰め包装装置を提供することを課題としている。
【課題を解決するための手段】
【０００７】
本発明は、前記課題を解決するスライス食パンの包装方法として、互いに対面したスライス面を鉛直又は水平方向にしてスライス食パンを複数枚ずつ供給する供給工程と、前記供給工程によって供給される複数枚のスライス食パンを受け入れる大きさの開口に変えて包装用袋を開口させる袋拡開口工程と、前記供給工程によって供給されて来た複数枚のスライス食パンを前記袋拡開口工程で開口された袋内に挿入させる食パン挿入工程と、前記食パン挿入工程で食パンが挿入された袋の開口を閉じる袋閉じ装置に送り出す工程よりなることを特徴とするスライス食パンの袋詰め包装方法を提供する。
【０００８】
また、本発明は、前記課題を解決するスライス食パンの包装装置として、互いに対面したスライス面を鉛直又は水平にして食パンを複数枚ずつ供給するスライス食パン供給装置、同スライス食パン供給装置の先端部に配置され同スライス食パン供給装置によって搬送されて来る複数枚のスライス食パンが挿入されるように包装袋の開口の大きさを変えて開口させる袋拡開口装置、前記スライス食パン供給装置によって搬送されて来る複数枚のスライス食パンを前記袋拡開口装置によって拡開口された袋内に挿入させる挿入装置、及び前記挿入装置によって複数枚のスライス食パンが内部に挿入された袋をその開口を閉じる袋閉じ装置に送る搬出装置を有することを特徴とするスライス食パンの袋詰め包装装置を提供する。
【０００９】
本発明によるスライス食パンの袋詰め包装装置における前記袋拡開口装置は、包装袋の縦方向及び横方向の一方又は両方の拡開口大きさを変更可能に構成されたものとすることができる。
【００１０】
また、前記袋拡開口装置は、スライス面を鉛直方向にした１斤のスライス食パンと、スライス面を水平方向にした半斤のスライス食パンとを挿入する大きさに前記包装袋の拡開口大きさを変更可能に構成されているものとすることができる。
【発明の効果】
【００１１】
本発明によるスライス食パンの袋詰め包装方法では、その袋拡開口工程において、包装すべき複数枚のスライス食パンを、スライス面を鉛直又は水平にして安定した状態で受け入れることが出来る大きさに開口を変えて包装用袋を開口させることによって、種々の枚数ずつのスライス食パンを食パン挿入工程で安定した状態で袋内に挿入し、袋閉じ装置に送り出すという同じやり方で異なる枚数ずつのスライス食パンを安定した状態で袋詰め包装することができる。
こうして包装されたスライス食パンは、その包装枚数に関わらず包装袋を開けて必要な枚数だけ消費し、残った食パンは、その包装袋の開口を再び閉じて保存することができる。
【００１２】
本発明によるスライス食パンの袋詰め包装装置では、そのスライス食パン供給装置によって搬送されて来る複数枚ずつのスライス食パンが挿入されるように袋拡開口装置によって包装袋の開口の大きさを変えて開口させるので、前記スライス食パン供給装置によって搬送されて来る複数枚のスライス食パンを挿入装置によって、そのように所定の大きさに開口された袋内に挿入させたのち、袋閉じ装置に送って、複数枚のスライス食パンが内部に挿入された袋の開口を閉じ、包装するスライス食パンの枚数に関わらず同じ包装装置で袋詰め包装することができる。
【００１３】
しかも、本発明によるスライス食パンの袋詰め包装装置において包装袋の縦方向及び横方向の一方又は両方に袋を拡開口させるように構成された袋拡開口装置を採用したものでは、袋詰めするスライス食パンの量に応じて縦横方向の袋開口大きさを任意に変えることができるので、スライス食パンが自立し難い少ない枚数のときはスライス面を水平方向にして横に寝せた状態にして挿入装置によって包装袋内に挿入するなど、常に安定した状態にして異なる枚数ずつのスライス食パンを同じ包装装置によって袋詰め包装することができる。
【００１４】
また、本発明によるスライス食パンの袋詰め包装装置における袋拡開口装置として、スライス面を鉛直方向にした１斤のスライス食パンと、スライス面を水平方向にした半斤のスライス食パンとを挿入する大きさに包装袋の拡開口大きさを変更可能に構成したものでは、わが国におけるスライス食パンの最も普通の流通形態である１斤と半斤のスライス食パンを同じ包装装置によって袋詰め包装することができる構造簡単な装置を提供することができる。
【発明を実施するための最良の形態】
【００１５】
以下、本発明によるスライス食パンの袋詰め包装方法及び包装設備を図１〜図１１に示した実施例に基づいて具体的に説明する。
本発明の一実施例によるスライス食パンの袋詰め包装装置の全体構成を側面図で示す図１において、１はスライス食パン供給装置で、袋詰め包装すべき枚数ずつのスライス食パンを所定間隔で図１の右側から左側へ搬送して来る。
【００１６】
２０は挿入装置で、スライス食パン供給装置１によって搬送されて来る所定枚数ずつのスライス食パンを包装袋内に挿入する機能を持っている。
３０は袋拡開口装置で、包装袋を包装すべきスライス食パンの枚数や供給状態に応じた大きさに開口させる機能を持っている。
５０は包装袋供給装置で、袋カセット５１に収容した包装袋を常に一定レベルになるよう消費につれて袋カセット５１を持上げて、袋拡開口装置３０によりその袋が１枚ずつ開口されて袋詰め包装に供されるように保持する機能を持っている。
７０は搬出コンベアで、袋詰め包装されたスライス食パンを袋閉じ装置に向けて紙面と直角方向に搬送する機能を持っている。
次に、図１における各装置について具体的に説明する。
【００１７】
まず、スライス食パン供給装置１は、搬入コンベア２を有し、搬入コンベア２はガイドローラ３〜６と駆動ローラ７の周りに掛け渡された無端コンベアの形であって、袋詰め包装すべきスライス食パンを所定枚数ずつスライス面を互いに対面させた状態のままスライス面を鉛直又は水平（スライス食パンの枚数が少ないとき）にして上面に載せて搬送する。
また、スライス食パン供給装置１には、搬入コンベア２に載せられて搬送されるスライス食パンを側部で案内するサイドガイド又はサイドコンベアが搬入コンベア２の両側に設けられるが、図示した装置ではサイドコンベアを採用している。
【００１８】
そのサイドコンベアは、下方のサイドコンベア８と上方のサイドコンベア９からなっている。下方のサイドコンベア８は２つのローラ１０、１１の周りに掛け渡されており、同様に、上方のサイドコンベア９は２つのローラ１２、１３の周りに掛け渡されている。
下方のサイドコンベア８は、包装するスライス食パンの枚数が少なく、スライス面を水平にして搬入コンベア２に載せて搬送するときにスライス食パンの側方を案内し、上方のサイドコンベア９はスライス面を鉛直にして搬入コンベア２にスライス食パンを立てて載せて搬送するときにスライス食パンの側方を案内する。
【００１９】
搬入コンベア２の両面を挟む形でスリット状の吸引口が設けられた吸引部材９１、９２を持つ滓取り用バキューム装置９０が配置されており、スライス食パンを載せて搬送する搬入コンベア２の表面に付着した食パンの滓などを吸引除去して吸引パイプ９３を経てタンク９４に回収するように構成されている。この滓取り用バキューム装置９０は、搬入コンベア２の上にスライス面を水平にして横に倒した状態でスライス面を搬入コンベア２の表面に接触させて搬送するときに、そのスライス面に食パンの滓が付着して商品の美観を損ねるのを防ぐ上で有効である。更に、搬入コンベア２には、アルコール噴霧装置１００から消毒用アルコールが噴霧されるように構成されており、スライス食パンが直接接触する搬入コンベア２の表面を清潔に保つようにされている。
【００２０】
次に、挿入装置２０について、図２〜図８によって説明する。
この挿入装置２０は、特開平６−２８６７０４号に示された袋詰め機構と基本的に同様のものである。すなわち、この挿入装置２０は上方から見た平面図である図２に見られるように、搬入コンベア２上の両側に１対の保持部材２１が配置されており、保持部材２１は白矢印で示すように摺動保持装置２２によってお互いに接近・離間されるようになっているとともに、黒矢印で示すように搬入コンベア２の走行方向に適宜の移動手段によって前後進されるように構成されている。
【００２１】
保持部材２１には互いに対向する位置に係合片２３がピンで枢接されていてエアシリンダ２４によって起立されて後記するように保持部材２１の間に保持された袋詰めすべきスライス食パンの後方を支える位置（図４〜図６）と図２、図３、図８に示す後退された位置を取れるようになっている。
搬入コンベア２によって搬送されて来る袋詰めすべきスライス食パンは、コンベアＡによって保持部材２１の間に供給されるように構成されている。Ｂ１はスライス面を搬入コンベア２の面に垂直にした状態で搬送されて来た複数枚のスライス食パンを示し、Ｂ２はスライス面を搬入コンベア２の面に平行にした状態で搬送されて来たスライス食パンを示しており、いずれの状態で搬送されて来たスライス食パンも同様に保持されて包装袋内に挿入されるが、以下ではスライス面を搬入コンベア２の面に垂直にした状態で搬送されて来たスライス食パンＢ１で説明する。
【００２２】
スライス食パンＢ１は、平行に配設されている保持部材２１の先端部まで送られ（図３の状態）、この時点で保持部材２１は摺動保持装置２２によって相互の間を狭められるよう変位されつつあり、相互の間を狭められた保持部材２１は両側からスライス食パンＢ１を保持する。
このとき、係合片２３がエアシリンダ２４によって保持部材２１に対して垂直に突出され（図４の状態）、保持部材２１によって保持されたスライス食パンＢ１の後方を支える。
【００２３】
スライス食パンＢ１を保持した保持部材２１は前方に変位され続け、後記するように袋拡開口装置３０の開口部材３１によって開口部を広げられている袋Ｅの開口部まで進み（図５の状態）スライス食パンＢ１を保持したまま袋Ｅ内に入る（図６の状態）。この状態で保持部材２１は相互の間を少し広げられ、袋Ｅ内でスライス食パンＢ１の保持を開放し、係合片２３もスライス食パンＢ１後方への突出位置から元の後退位置へエアシリンダ２４の働きで戻され、保持部材２１は後退されて袋Ｅから抜き出されスライス食パンＢ１は袋Ｅ内に入れられたまま残される（図８の状態）。このようにしてスライス食パンＢ１を入れられた袋Ｅは搬出コンベア７０へと排出されて袋Ｅの開口部を結束する袋閉じ工程へと送られる。
【００２４】
保持部材２１に対して以上説明した動作を行わせる機構の例は特開平６−２８６７０４号公報に示されているが、その機構はそれに限られるものではなく、カム、モータなど適宜のもので行わせるものであってよく、その具体的構成は当業者が任意に選択できるものでよいので、その詳細の説明は省略する。
【００２５】
次に、袋拡開口装置３０について説明する。
袋拡開口装置３０は、後記するように包装袋供給装置５０において一定レベルに保持されている包装袋カセット５１内の袋を１枚ずつ開口させ、図５〜８について説明したように挿入装置２０によって保持されたスライス食パンを挿入させて受け入れる機能を受け持つ。
この袋拡開口装置３０の大事な機能は、挿入装置２０によって送り込まれるスライス食パンの枚数（量）と送り込まれるスライス食パンのスライス面が鉛直か水平かの向きなどに応じて変えられた大きさに袋を開口させることである。
【００２６】
この袋拡開口装置３０によって所定の大きさに開口される袋Ｅは、縦方向断面で図９に示すように、開口部Ｅ１以外が閉じられており、その開口部Ｅ１における下方のシートの縁Ｅ２が長く延長されその両側に２個のピン穴Ｅ３が設けられている。
このように形成されたプラスチック製の袋Ｅは積層されてそのピン穴Ｅ３に２本のピン３４が差し込まれて袋カセット５１内に保持されている。
積層された袋Ｅの延長された縁Ｅ２は、ピン穴Ｅ３の間でセンタ保持部材３５によって押さえられるとともに、ピン穴Ｅ３の外側でサイド保持部材３６によって押さえられる。
以上のように保持された袋Ｅの斜め上方に位置するようにエアノズル４０が配設されており、そのエアノズル４０からエア４１を吹き出すことによって袋Ｅの開口部Ｅ１に開口を形成させることが出来るように構成されている。
【００２７】
積層された袋Ｅを収納した袋カセット５１は、後記する包装袋供給装置５０によって下方から所定圧で押し上げられており、その押し上げ力をセンタ保持部材３５とサイド保持部材３６で受けて、袋カセット５１に積層された袋Ｅの上面が常に同じ高さレベルに保たれるようになっている。
包装袋供給装置５０によって上記したように積層状態で保持されている袋Ｅに対するサイド保持部材３６による押さえを解放して袋Ｅの開口部Ｅ１に向けて斜め上方からエアノズル４０からエア４１を吹き付け、これによって、一番上の袋Ｅの開口部Ｅ１に開口が形成される。
【００２８】
エアノズル４０からのエア４１によって形成された開口に対して開口部材３１が挿入される。開口部材３１は、互いの間隔を拡張可能な下方の２本のバー３２と、上方の２本のバー３３の都合４本のバーを有している。開口部材３１の各バー３２、３３は袋Ｅの開口内に挿入された後、上方のバー３３が上方に変位されて袋Ｅの開口を仮想線４２で示すように広げる。
開口部材３１を構成するバー３２と３３の変位方向は適宜選択することができ、また、その変位量は、袋詰め包装するべく搬送されて来るスライス食パンの枚数（量）と、スライス面が鉛直か水平かの向きなどに応じて決められ、バー３２、３３の変位量はこれを変位させるエアシリンダのストロークを調節して無段階に変えたり、その変位をカムで行わせるようにしているときは複数個のカムを切り替えて段階的に変える構造にしたり、或いは、バー３２、３３自体を取り替えることによって開口の大きさを変える構造にしたり、その切替え頻度や切替える開口大きさの種類などに応じて種々のやり方を採用してよい。
【００２９】
図示した実施例によるスライス食パンの袋詰め包装装置は以上説明した構成を有しており、エアノズル４０からのエア４１による袋Ｅの部分的な開口動作又は袋拡開口装置３０の開口部材３１による包装袋開口の拡張動作によって、ピン穴Ｅ３はピン３４から抜け出される。このとき袋Ｅの積層はサイド保持部材３６による押さえから開放されているが、センタ保持部材３５によって下方からの押し上げ力が受けられ、袋Ｅの上面は常に同じ高さレベルに維持されるようになっている。一番上の袋Ｅがピン３４から開放された後、開口された一番上の袋Ｅの下に積層されている袋Ｅはサイド保持部材３６により図１１のように保持される。
【００３０】
こうして一番上の袋Ｅが所定の大きさに開口された後、前記したように挿入装置２０によって所定枚数のスライス食パンＢ１が内部に挿入される。スライス食パンＢ１が挿入された袋Ｅは搬出コンベア７０へ排出されるが、食パンＢ１が挿入された袋Ｅが搬出されるときは、センタ保持部材３５は袋Ｅの押さえつけを開放する。センタ保持部材３５が袋Ｅの押さえを開放しても袋Ｅのサイド保持部材３６によって押さえられていて袋Ｅの積層状態は保持され続け、袋は下方からの押し上げ力がサイド保持部材３６によって受けられ袋の積層体の上面は一定の高さレベルに保持される。
【００３１】
開口部材３１のバー３２、３３としては、上下方向、左右方向、又は上下左右方向に袋Ｅの開口を拡張させるように構成したものを前記したように開口すべき袋Ｅの形状や大きさに応じて選択して採用する。
図１０、図１１に示したものでは、上方のバー３３が上方へ変位して袋Ｅの開口を広げる動作を行う構成のものを説明したが、下方のバー３２が左右方向への拡張動作を行い上方のバー３３が上下左右方向への拡張動作を行うものにしたり、或いは、バー３３、３２がそれぞれ、４５°ずつ斜め上方と斜め下方に変位して袋Ｅの開口を拡張させるような構成のものを採用してもよい。
【００３２】
次に、積層された袋Ｅを収容した袋カセット５１を、その一番上の袋Ｅの上面が一定レベルを保つように保持する包装袋供給装置５０について説明する。
この装置はプラスチック袋Ｅが積層して収容されていて、袋Ｅがスライス食パンの包装に使われて消費されるにつれて袋カセット５１を押し上げ、袋カセット５１内に積層されている袋Ｅの上面が常に所定の高さレベルに保持されるように構成されている。
【００３３】
袋Ｅは開口部Ｅ１における縁Ｅ２の穴Ｅ３にピン３４が差し込まれて袋カセット５１に保持されている。袋カセット５１はそのピン３４の位置をスライドバー５２で支持し、また、袋カセット５１の中央部をスライドバー５３で支持し、これらのスライドバー５２、５３を２つのエアシリンダ５４、５５に両端を取り付けた高さ調節バー５６の長孔に連結している。袋Ｅの穴Ｅ３部における袋Ｅの上面高さをエアシリンダ５４によって規定しつつ、エアシリンダ５５の伸張を調節して袋カセット５１内の袋Ｅの上面が常に水平になるように制御される。
袋カセット５１はピン３４の位置で縁Ｅ２が１枚であるのに対して袋の中央部は２枚となっているのでスライドバー５３がスライドバー５４の２倍の距離だけ変位されるようにエアシリンダ５４からスライドバー５２、５３までの距離を１対２としてある。
【００３４】
以上のようにして、袋カセット５１は、収容された袋Ｅの上面が常に一定の高さレベルを保ちつつ水平に保たれた状態で袋Ｅが１枚ずつスライス食パンの袋詰めに消費されてゆくのであるが、この袋カセット５１の保持機構は特開２００２−２９５１０公報に記載されているように公知なので、詳しい機構の説明は省略する。
以上のようにして袋詰めされたスライス食パンは搬出コンベア７０で袋閉じ装置（図示していない）に向けて搬送され、袋Ｅの開口部がシール、結束されて閉じられるが、その装置としては特開２００１−３１５７１６公報に示されているものなど公知の装置を適宜選択すればよいので、その説明は省略する。
【００３５】
以上、本発明によるスライス食パンの袋詰め包装装置を一実施例に基づいて具体的に説明したが、本発明はこれに限定されないことはいうまでもなく、特許請求の範囲に記載の本発明の範囲内で種々の変更を加えてよい。例えば、上記した図３〜図８に示す実施例における装置では、スライス面を鉛直にしても自立できる例えば１斤の食パンを袋詰めする場合を示しているが、スライス面を鉛直にしては自立出来ない例えば半斤のスライス食パンを図２のスライス食パンＢ２のようにスライス面を水平にした状態で袋詰めする大きさに開口部材３１が袋Ｅの開口を広げるようにして同様に袋詰めしてもよい。
【００３６】
更に、前記した実施例では、袋拡開口装置としてエアノズル４０からエアを吹き付けて包装袋Ｅを開口させる構成のものを採用しているが、これに限らず、包装袋Ｅの上のシートをバキュームで引いたり粘着テープに付着させて持上げて開口させる方式など、他の適宜の構成のものを採用してよい。
また、挿入装置の構成も図示のものに限らず、要は、スライス食パン供給装置によって搬送されて来る複数枚のスライス食パンを保持して開口された袋内に挿入させる動作を行うものであれば、他の適宜の構成のものを採用してよい。
【図面の簡単な説明】
【００３７】
【図１】本発明の一実施形態によるスライス食パンの袋詰め包装装置の全体構成を示す側面図。
【図２】図１のスライス食パンの袋詰め包装装置における挿入装置２０の構成と作動を説明するための説明図で、スライス食パンが挿入装置２０の前まで搬送されて来た状態を示している。
【図３】図２と同様の説明面で、スライス食パンが保持部材２１で保持されようとしている状態を示している。
【図４】図２と同様の説明面で、スライス食パンが保持部材２１で保持された状態を示している。
【図５】図２と同様の説明面で、保持部材２１で保持されたスライス食パンが開口を拡張された袋に挿入されようとしている状態を示している。
【図６】図２と同様の説明面で、保持部材２１で保持されたスライス食パンが開口を拡張された袋に挿入された状態を示している。
【図７】図２と同様の説明面で、スライス食パンを袋内に挿入した後、保持部材２１が袋から抜き出しを開始した状態を示している。
【図８】図２と同様の説明面で、スライス食パンを袋内に挿入した後、保持部材２１が袋から抜き出された状態を示している。
【図９】包装袋の構成を示す縦断面図。
【図１０】図１のスライス食パンの袋詰め包装装置における袋拡開口装置３０による袋の拡開口操作を示す説明図。
【図１１】図１０のＸＩ−ＸＩ線に沿う図面。
【符号の説明】
【００３８】
１          スライス食パン供給装置
２          搬入コンベア
３〜６      ガイドローラ
７          駆動ローラ
８、９      サイドコンベア
１０〜１３  ローラ
２０        挿入装置
２１        保持部材
２２        摺動保持装置
２３        係合片
２４        エアシリンダ
３０        袋拡開口装置
３１        開口部材
３２        下方の２本のバー
３３        上方の２本のバー
３４        ピン
３５        センタ保持部材
３６        サイド保持部材
４０        エアノズル
４１        エア
５０        包装袋供給装置
５１        袋カセット
５２        スライドバー
５３        スライドバー
５４        エアシリンダ
５５        エアシリンダ
５６        高さ調節バー
７０        搬出コンベア
９０        滓取り用バキューム装置
９１、９２  吸引部材
９３        吸引パイプ
９４        タンク
１００      アルコール噴霧装置
【図１】
2006062698.tif 000003
【図２】
2006062698.tif 000004
【図３】
2006062698.tif 000005
【図４】
2006062698.tif 000006
【図５】
2006062698.tif 000007
【図６】
2006062698.tif 000008
【図７】
2006062698.tif 000009
【図８】
2006062698.tif 000010
【図９】
2006062698.tif 000011
【図１０】
2006062698.tif 000012
【図１１】
2006062698.tif 000013